(57)【要約】      （修正有）【課題】組立てパソコン用の筺体を２枚のマザーボードが搭載できるように形成することにより、１台の筺体に２台分のマザーボードを収装し、切替えて使用できるようにしたパソコン用筺体を提供すること。【解決手段】少なくとも背面を開放した筺体の内部を、左右又は上下で略均等な２区画の空間S1，S2に分け、各空間S1，S2に、電源，CPU，その他の必要部品が接続乃至搭載されるマザーボード７，８をそれぞれに着脱できると共に、両マザーボード７，８の間にCPU切換機10を搭載できるように形成する一方、当該筺体の前面を、前記の各マザーボード７，８に対応する起動並びにリセットスイッチと、前記CPU切換機10の切替スイッチと、USBコネクタなどのコネクタとが配設できるように形成したこと。【選択図】図２
0003102175.tif 000002
【実用新案登録請求の範囲】
【請求項１】
少なくとも背面を開放した筺体の内部を、左右又は上下で略均等な２区画の空間に分け、各空間に、電源，CPU，その他の必要部品が接続乃至搭載されるマザーボードをそれぞれに着脱できると共に、両マザーボードの間にCPU切換機を搭載できるように形成する一方、当該筺体の前面を、前記の各マザーボードに対応する起動並びにリセットスイッチと、前記CPU切換機の切替スイッチと、USBコネクタなどのコネクタとが配設できるように形成したことを特徴とする組立パソコン用の筺体。
【請求項２】
前記筺体の背面を、前記の各マザーボードに接続されるPCIスロットがそれぞれ配設できるように形成したことを特徴とする請求項１の組立パソコン用の筺体。
【考案の詳細な説明】
【技術分野】
【０００１】
本考案は主としてパーソナルコンピュータ（以下、パソコンという）を構成するマザーボードなどの電子回路などを収装してコンピュータ本体を形成するための筺体に関する。
【背景技術】
【０００２】
現在の組立てパソコンはフルタワー（ATX仕様準拠）と称される筺体（ケースともいう）にマザーボードを取付け、このマザーボード上に、キーボードやマウス，シリアル／パラレル，USBのコネクタなどを配置し、更に拡張スロットやメモリスロット，CPUソケット，電源ユニットなどの位置を規定して搭載する様式で、事実上の標準化がなされている。
【０００３】
しかし、CPUの演算速度が頻繁に速度アップする現状では、ユーザーは新しいCPUを導入しようとするとき、仮にも新しいCPUのソケット形状が異なる場合には、現在使用しているマザーボードは廃棄して新しいマザーボードに入替えたり、筺体をもう一台購入して新しいCPUを搭載した２台目のパソコンに組立てて使用することを強いられている。
【考案の開示】
【考案が解決しようとする課題】
【０００４】
そこで本考案では、組立てパソコン用の筺体を２枚のマザーボードが搭載できるように形成することにより、１台の筺体に２台分のマザーボードを収装し、切替えて使用できるようにしたパソコン用筺体を提供することを課題とするものである。
【課題を解決するための手段】
【０００５】
上記課題を解決することを目的としてなされた本考案筺体の構成は、少なくとも背面を開放した筺体の内部を、左右又は上下で略均等な２区画の空間に分け、各空間に、電源，CPU，その他の必要部品が接続乃至搭載されるマザーボードをそれぞれに着脱できると共に、両マザーボードの間にCPU切換機を搭載できるように形成する一方、当該筺体の前面を、前記の各マザーボードに対応する起動並びにリセットスイッチと、前記CPU切換機の切替スイッチと、USBコネクタなどのコネクタとが配設できるように形成したことを特徴とするものである。
【０００６】
本考案筺体では、その前面を、CD-ROMやFDなどの記録媒体の駆動ユニットを装着できる形態とすることができる。また本考案筐体では、１台のモニタ，マウス，キーボードの接続用コネクタが当該筺体の前面や背面など、適宜の部位に設置できるように形成されている。
【考案の効果】
【０００７】
本考案はパソコン用筺体を、背面を開放した筺体の内部を、左右又は上下で略均等な２区画の空間に分け、各空間に、電源，CPU，その他の必要部品が接続乃至搭載されるマザーボードをそれぞれに着脱できると共に、両マザーボードの間にCPU切換機を搭載できるように形成する一方、当該筺体の前面を、前記の各マザーボードに対応する起動並びにリセットスイッチと、前記CPU切換機の切替スイッチと、USBコネクタなどのコネクタとが配設できるように形成して構成したから、２台のパソコンを、ほぼ１台分のタワー型筺体に収装，搭載して形態にまとめることが可能になり、この結果、２台の独立したパソコン筐体を並べて使用する場合に比べ、配線が簡素化され、また、スペース効率もよい。
【考案を実施するための最良の形態】
【０００８】
次に本考案筺体の実施形態例について、図を参照して説明する。ここで、図１は本考案筺体の一例の正面図、図２は図１の筺体の内部を例示した断面図、図３は図１の筺体の背面図である。
【０００９】
図１〜図３において、１は薄鋼板などの金属製、或は、プラスチック等の非金属製の板材により形成した背面を全面的に開口したパソコン筺体で、ここでは、底板２と底板２の手前側に立設される前面パネル３と、前記底板２と前面パネル３とに被せる態様で底板上に配設される左右側面板４と上面板５とを一体成形した正面視略門型のカバー体とにより形成される背面が全面開口されたパソコン筺体の本体Ａを形成し、この本体Ａの背面開口部に、後に説明する背面パネル６を装着して本考案筺体１の一例に形成されている。
【００１０】
上記筐体１は、その内部を底板２の正面幅（左右幅）における略１／２幅の位置に区画板７を設けることにより、内部が２つの空間S1，S2に区画されている。この区画板７は、所要の部位に、左右の空間を連通させることができるように穴や切欠など（いずれも図に表われず）が形成されている。
【００１１】
左右の空間SI，S2において、図示した例では区画板７を挟むような態様で２枚のマザーボード８，９が立設され、両マザーボード８，９を跨ぐ態様でCPU切換機10が区画板７の穴又は切欠部に設けられている。両マザーボード８，９には、通常のパソコンと同様にそれぞれ必要な部品や電子回路が搭載されるが、ここではCPU8a，9aのみを略示している。なお、11，12は、それぞれのマザーボード８，９用の電源部であり、各空間S1とS2に配設されている。
【００１２】
上記のように本考案筐体１には、２台分のパソコンのハード構成部材が、ここでは左右に区画された２つの空間S1とS2に対称的に配置されているので、前面パネル３には、夫々に独立したパソコンとして必要なパワースイッチP-SW1，P-SW2、リセットスイッチR-SW1，R-SW2、或は、ＵＳＢ用コネクタU-C1，U-C2、オーディオ信号など信号の入，出力コネクタA-C1，A-C2などが、正面パネル３に対称な位置関係で設けられる一方、両方のパソコン部で共用するCR-ROMやFD，MDなどの記録媒体の装填駆動部13や14、及び、CPU切換機10の切替スイッチ15が、当該正面パネル３のセンターに配置されている。
【００１３】
なお、上記筐体１の背面開口部には、左右の空間S1，S2に対応して夫々に放熱孔15，16やPCIスロット17，18などを、当該筐体１の左右２つの空間S1，S2に収装されている発熱部品や回路，コネクタなどの位置に見合う態様で設けた背面パネル６が装着されている。
【００１４】
上記筐体１の例は、タワー型の一つの筐体における本体Ａを左右で２分した空間S1とS2に、２台分の夫々のパソコン部をCPU切換機10を介して配置できるように形成したものである。本考案筐体は、本体Ａを横長型に形成し、２台分のパソコン部の搭載空間S1，S2を上下二段に形成したものでもよい。
【産業上の利用可能性】
【００１５】
本考案は以上の通りであって、パソコン用の筐体を、背面を開放した筺体の内部を左右又は上下で区画して２つの空間に分け、各空間に、電源，CPU，その他必要部品を接続搭載されるマザーボードをそれぞれ着脱できるようにすると共に、両マザーボードの間にCPU切換機を搭載できるように形成する一方、当該筺体の前面を、前記の各マザーボードに対応する起動並びにリセットスイッチと、CPU切換機の切替スイッチと、USBコネクタなどのコネクタとが配設できるように形成したから、２台分のパソコン部を、１台分より少し幅広のタワー型筺体に収装，搭載した形態にまとめることが可能になり、この結果、２台の独立したパソコンを並べて使用する場合に比べ、配線が簡素化され、また、スペース効率も良好になる。
【図面の簡単な説明】
【００１６】
【図１】本考案筺体の一例の正面図。
【図２】図１の筺体の内部を例示した断面図。
【図３】図１の筺体の背面図。
【符号の説明】
【００１７】
１        筐体
２        底板
３        正面パネル
４        左右側板
５        上面板
６        背面パネル
７，８    マザーボード
【図１】
0003102175.tif 000003
【図２】
0003102175.tif 000004
【図３】
0003102175.tif 000005